(57)【要約】【課題】ランダムプレイ及びノーマルプレイのいずれにおいても安定した音量で音楽を再生することのできるオーディオ再生装置を提供することを課題とする。【解決手段】オーディオ再生装置は、オーディオデータの再生モードを入力するための入力手段と、入力された前記再生モードを基に、グループのオーディオデータがランダムに再生されると判定した場合には、第１の音量補正値を用いて出力音量の音量レベル値の補正を自動的に行い、グループのオーディオデータが順番に通して再生されると判定した場合には、第２の音量補正値を用いて出力音量の音量レベル値の補正を自動的に行う音量補正手段と、を備える。このようにすることで、ノーマルプレイとランダムプレイとで音量補正値を自動的に切り替えて音量補正を行うことができ、ランダムプレイ及びノーマルプレイのいずれにおいても安定した音量で音楽を再生することができる。【選択図】図１
2008112494.tif 000002
【特許請求の範囲】
【請求項１】
オーディオデータについて第１の音量補正値を算出する第１の音量補正値算出手段と、
前記オーディオデータについてオーディオソースに対応するグループ毎に共通の第２の音量補正値を算出する第２の音量補正値算出手段と、
前記オーディオデータについて、前記第１の音量補正値及び前記第２の音量補正値をリンクして記録媒体に記録する記録手段と、を備えることを特徴とするオーディオ記録装置。
【請求項２】
前記グループの識別番号を記録する手段を更に備え、
前記第２の音量補正値算出手段は、所定のオーディオソースのオーディオデータが前記記録媒体に記録される場合において、前記所定のオーディオソースの識別番号と前記グループの識別番号とを基に、前記所定のオーディオソースのオーディオデータが前記記録媒体に存在しているか否かを判定し、存在していないと判定した場合には、前記所定のオーディオソースの第１のオーディオデータについての前記第１の音量補正値の値を、前記第１のオーディオデータについての前記第２の音量補正値の値とし、
前記記録手段は、前記第１のオーディオデータについて、前記第１の音量補正値及び前記第２の音量補正値をリンクして記録媒体に記録することを特徴とする請求項１に記載のオーディオ記録装置。
【請求項３】
前記第２の音量補正値算出手段は、前記所定のオーディオソースのオーディオデータが前記記録媒体に存在していると判定した場合には、前記記録媒体に記録済みの前記所定のオーディオソースに対応するグループのオーディオデータの前記第２の音量補正値の値と前記所定のオーディオソースの前記記録媒体に追加して記録される第２のオーディオデータの前記第２の音量補正値の値とを共通の値とし、
前記記録手段は、前記第２のオーディオデータについて、前記第１の音量補正値及び共通の値とされた前記第２の音量補正値をリンクして記録媒体に記録すると共に、前記記録媒体に記録済みの前記所定のオーディオソースに対応するグループのオーディオデータについて、共通の値とされた前記第２の音量補正値をリンクして記録することを特徴とする請求項２に記載のオーディオ記録装置。
【請求項４】
前記第２の音量補正値算出手段は、前記オーディオソースに対応するグループ全体の平均音量レベル値を求め、前記平均音量レベル値と出力音量の音量レベル値との差を前記第２の音量補正値として算出することを特徴とする請求項１に記載のオーディオ記録装置。
【請求項５】
前記第２の音量補正値算出手段は、前記オーディオソースに対応するグループの前記オーディオデータごとの平均音量レベル値の平均を求め、前記平均と出力音量の音量レベル値との差を前記第２の音量補正値として算出することを特徴とする請求項１に記載のオーディオ記録装置。
【請求項６】
前記第２の音量補正値算出手段は、前記オーディオソースに対応するグループの前記オーディオデータの第１の音量補正値の平均を前記第２の音量補正値として算出することを特徴とする請求項１に記載のオーディオ記録装置。
【請求項７】
前記第２の音量補正値算出手段は、前記オーディオソースに対応するグループの前記オーディオデータの第１の音量補正値の最小値を前記第２の音量補正値として算出することを特徴とする請求項１に記載のオーディオ記録装置。
【請求項８】
前記第２の音量補正値算出手段は、前記第２のオーディオデータの前記第１の音量補正値が、前記記録媒体に記録済みの前記所定のオーディオソースに対応するグループに含まれる複数のオーディオデータに共通の前記第２の音量補正値よりも小さい場合には、前記第２のオーディオデータのうち最小の前記第１の音量補正値を、前記第２のオーディオデータ、及び、前記記録媒体に記録済みの前記所定のオーディオソースに対応するグループのオーディオデータ、についての前記第２の音量補正値とすることを特徴とする請求項３に記載のオーディオ記録装置。
【請求項９】
オーディオデータについて第１の音量補正値を算出する第１の音量補正値算出方法と、
前記オーディオデータについてオーディオソースに対応するグループ毎に共通の第２の音量補正値を算出する第２の音量補正値算出方法と、
前記オーディオデータについて、前記第１の音量補正値及び前記第２の音量補正値をリンクして記録媒体に記録する記録方法と、を備えることを特徴とするオーディオ記録方法。
【請求項１０】
コンピュータにより実行されるオーディオ記録プログラムであって、
オーディオデータについて第１の音量補正値を算出する第１の音量補正値算出手段、前記オーディオデータについてオーディオソースに対応するグループ毎に共通の第２の音量補正値を算出する第２の音量補正値算出手段、前記オーディオデータについて、前記第１の音量補正値及び前記第２の音量補正値をリンクして記録媒体に記録する記録手段、として前記コンピュータを機能させることを特徴とするオーディオ記録プログラム。
【請求項１１】
オーディオデータについて、第１の音量補正値、及び、オーディオソースに対応したグループ毎に共通の第２の音量補正値が記録された記録媒体より前記オーディオデータを再生するオーディオ再生装置であって、
前記オーディオデータの再生モードを入力するための入力手段と、
入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段と、を備えることを特徴とするオーディオ再生装置。
【請求項１２】
オーディオデータについて、第１の音量補正値、及び、オーディオソース毎のグループに共通の第２の音量補正値が記録された記録媒体より前記オーディオデータを再生するオーディオ再生方法であって、
前記オーディオデータの再生モードを入力するための入力方法と、
入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正方法と、を備えることを特徴とするオーディオ再生方法。
【請求項１３】
オーディオデータについて、第１の音量補正値、及び、オーディオソース毎のグループに共通の第２の音量補正値が記録された記録媒体より前記オーディオデータを再生する、コンピュータにより実行されるオーディオ再生プログラムであって、
前記オーディオデータの再生モードを入力するための入力手段、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段、として前記コンピュータを機能させることを特徴とするオーディオ再生プログラム。
【請求項１４】
請求項１３に記載のオーディオ再生プログラムを記録したことを特徴とする記録媒体。
【発明の詳細な説明】
【技術分野】
【０００１】
本発明は、オーディオデータを再生するオーディオ再生装置に関する。
【背景技術】
【０００２】
音楽や音声のオーディオ信号は、再生する機器によって音量の補正をするのが一般的である。しかし、オーディオ信号のソースの相違やメディアの相違によって、音量に差が生じることがある。以下に示す特許文献１には、曲ごと又はアルバム等の複数の曲を含む単位ごとに、音量を補正するための音量補正値を保存しておき、その補正値を用いて再生時の音量が一定となるように音量を調整するオーディオ再生装置が記載されている。
【０００３】
【特許文献１】特開２００５−１１４３２号公報
【発明の開示】
【発明が解決しようとする課題】
【０００４】
特許文献１に記載のオーディオ再生装置において、再生する曲の順序をランダムに変えて再生するランダムプレイの場合には、曲ごとに音量の補正が行われても、聞き手たるユーザにとって問題は生じない。しかしながら、アルバムを通して再生するノーマルプレイの場合、例えば、複数の曲が繋がって再生される場合や、アルバム中に元々音量の小さな静かな曲が含まれる場合には、曲ごとに音量の補正が行われると、曲間の音量差のため、ユーザにとって違和感が生じることがある。
【０００５】
本発明が解決しようとする課題には、上記のようなものが一例として挙げられる。本発明は、ユーザが特に意識することなく、ランダムプレイ及びノーマルプレイのいずれにおいても安定した音量で音楽を再生することのできるオーディオ再生装置を提供することを課題とする。
【課題を解決するための手段】
【０００６】
請求項１に記載の発明は、オーディオ記録装置であって、オーディオデータについて第１の音量補正値を算出する第１の音量補正値算出手段と、前記オーディオデータについてオーディオソースに対応するグループ毎に共通の第２の音量補正値を算出する第２の音量補正値算出手段と、前記オーディオデータについて、前記第１の音量補正値及び前記第２の音量補正値をリンクして記録媒体に記録する記録手段と、を備える。
【０００７】
請求項９に記載の発明は、オーディオ記録方法であって、オーディオデータについて第１の音量補正値を算出する第１の音量補正値算出方法と、前記オーディオデータについてオーディオソースに対応するグループ毎に共通の第２の音量補正値を算出する第２の音量補正値算出方法と、前記オーディオデータについて、前記第１の音量補正値及び前記第２の音量補正値をリンクして記録媒体に記録する記録方法と、を備える。
【０００８】
請求項１０に記載の発明は、コンピュータにより実行されるオーディオ記録プログラムであって、オーディオデータについて第１の音量補正値を算出する第１の音量補正値算出手段、前記オーディオデータについてオーディオソースに対応するグループ毎に共通の第２の音量補正値を算出する第２の音量補正値算出手段、前記オーディオデータについて、前記第１の音量補正値及び前記第２の音量補正値をリンクして記録媒体に記録する記録手段、として前記コンピュータを機能させる。
【０００９】
請求項１１に記載の発明は、オーディオデータについて、第１の音量補正値、及び、オーディオソースに対応したグループ毎に共通の第２の音量補正値が記録された記録媒体より前記オーディオデータを再生するオーディオ再生装置であって、前記オーディオデータの再生モードを入力するための入力手段と、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段と、を備える。
【００１０】
請求項１２に記載の発明は、オーディオデータについて、第１の音量補正値、及び、オーディオソース毎のグループに共通の第２の音量補正値が記録された記録媒体より前記オーディオデータを再生するオーディオ再生方法であって、前記オーディオデータの再生モードを入力するための入力方法と、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段と、を備える。
【００１１】
請求項１３に記載の発明は、オーディオデータについて、第１の音量補正値、及び、オーディオソース毎のグループに共通の第２の音量補正値が記録された記録媒体より前記オーディオデータを再生する、コンピュータにより実行されるオーディオ再生プログラムであって、前記オーディオデータの再生モードを入力するための入力手段、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段、として前記コンピュータを機能させる。
【発明を実施するための最良の形態】
【００１２】
本発明の１つの観点では、オーディオ記録装置は、オーディオデータについて第１の音量補正値を算出する第１の音量補正値算出手段と、前記オーディオデータについてオーディオソースに対応するグループ毎に共通の第２の音量補正値を算出する第２の音量補正値算出手段と、前記オーディオデータについて、前記第１の音量補正値及び前記第２の音量補正値をリンクして記録媒体に記録する記録手段と、を備える。
【００１３】
上記のオーディオ記録装置は、第１の音量補正値算出手段と、第２の音量補正値算出手段と、記録手段と、を備える。前記第１の音量補正値算出手段は、オーディオデータについて第１の音量補正値を算出する。前記第２の音量補正値算出手段は、前記オーディオデータについてオーディオソースに対応するグループ毎に共通の第２の音量補正値を算出する。前記記録手段は、前記オーディオデータについて、前記第１の音量補正値及び前記第２の音量補正値をリンクして記録媒体に記録する。このようにすることで、前記オーディオデータに対し、再生モードによって異なる音量補正値をリンクして記録することができる。
【００１４】
上記のオーディオ記録装置の他の一態様は、前記グループの識別番号を記録する手段を更に備え、前記第２の音量補正値算出手段は、所定のオーディオソースのオーディオデータが前記記録媒体に記録される場合において、前記所定のオーディオソースの識別番号と前記グループの識別番号とを基に、前記所定のオーディオソースのオーディオデータが前記記録媒体に存在しているか否かを判定し、存在していないと判定した場合には、前記所定のオーディオソースの第１のオーディオデータについての前記第１の音量補正値の値を、前記第１のオーディオデータについての前記第２の音量補正値の値とし、前記記録手段は、前記第１のオーディオデータについて、前記第１の音量補正値及び前記第２の音量補正値をリンクして記録媒体に記録する。このようにすることで、所定のオーディオソースのオーディオデータを始めて記録媒体に記録する場合において、記録される前記所定のオーディオソースのオーディオデータに対し、第１の音量補正値、及び、第２の音量補正値をリンクして記録することができる。
【００１５】
上記のオーディオ記録装置の他の一態様は、前記第２の音量補正値算出手段は、前記所定のオーディオソースのオーディオデータが前記記録媒体に存在していると判定した場合には、前記記録媒体に記録済みの前記所定のオーディオソースに対応するグループのオーディオデータの前記第２の音量補正値の値と前記所定のオーディオソースの前記記録媒体に追加して記録される第２のオーディオデータの前記第２の音量補正値の値とを共通の値とし、前記記録手段は、前記第２のオーディオデータについて、前記第１の音量補正値及び共通の値とされた前記第２の音量補正値をリンクして記録媒体に記録すると共に、前記記録媒体に記録済みの前記所定のオーディオソースに対応するグループのオーディオデータについて、共通の値とされた前記第２の音量補正値をリンクして記録する。このようにすることで、所定のオーディオソースのオーディオデータを２回目以降に記録媒体に記録する場合において、記録される前記所定のオーディオソースのオーディオデータに対し、第１の音量補正値、及び、第２の音量補正値をリンクして記録することができる。
【００１６】
上記のオーディオ記録装置の好適な実施例は、前記第２の音量補正値算出手段は、前記オーディオソースに対応するグループ全体の平均音量レベル値を求め、前記平均音量レベル値と出力音量の音量レベル値との差を前記第２の音量補正値として算出する。
【００１７】
上記のオーディオ記録装置の好適な実施例は、前記第２の音量補正値算出手段は、前記オーディオソースに対応するグループの前記オーディオデータごとの平均音量レベル値の平均を求め、前記平均と出力音量の音量レベル値との差を前記第２の音量補正値として算出する。
【００１８】
上記のオーディオ記録装置の好適な実施例は、前記第２の音量補正値算出手段は、前記オーディオソースに対応するグループの前記オーディオデータの第１の音量補正値の平均を前記第２の音量補正値として算出する。
【００１９】
上記のオーディオ記録装置の好適な実施例は、前記第２の音量補正値算出手段は、前記オーディオソースに対応するグループの前記オーディオデータの第１の音量補正値の最小値を前記第２の音量補正値として算出する。これにより、第２の音量補正値の大きさを最小にすることができる。
【００２０】
上記のオーディオ記録装置の好適な実施例は、前記第２の音量補正値算出手段は、前記第２のオーディオデータの前記第１の音量補正値が、前記記録媒体に記録済みの前記所定のオーディオソースに対応するグループに含まれる複数のオーディオデータに共通の前記第２の音量補正値よりも小さい場合には、前記第２のオーディオデータの前記第１の音量補正値を、前記第２のオーディオデータ、及び、前記記録媒体に記録済みの前記所定のオーディオソースに対応するグループのオーディオデータ、についての前記第２の音量補正値とする。
【００２１】
本発明の他の観点では、オーディオ記録方法は、オーディオデータについて第１の音量補正値を算出する第１の音量補正値算出方法と、前記オーディオデータについてオーディオソースに対応するグループ毎に共通の第２の音量補正値を算出する第２の音量補正値算出方法と、前記オーディオデータについて、前記第１の音量補正値及び前記第２の音量補正値をリンクして記録媒体に記録する記録方法と、を備える。この方法によっても、前記オーディオデータに対し、再生モードによって異なる音量補正値をリンクして記録することができる。
【００２２】
本発明の更なる他の観点では、コンピュータにより実行されるオーディオ記録プログラムは、オーディオデータについて第１の音量補正値を算出する第１の音量補正値算出手段、前記オーディオデータについてオーディオソースに対応するグループ毎に共通の第２の音量補正値を算出する第２の音量補正値算出手段、前記オーディオデータについて、前記第１の音量補正値及び前記第２の音量補正値をリンクして記録媒体に記録する記録手段、として前記コンピュータを機能させる。この記録プログラムによっても、前記オーディオデータに対し、再生モードによって異なる音量補正値をリンクして記録することができる。
【００２３】
本発明の更なる他の観点では、オーディオデータについて、第１の音量補正値、及び、オーディオソースに対応したグループ毎に共通の第２の音量補正値が記録された記録媒体より前記オーディオデータを再生するオーディオ再生装置は、前記オーディオデータの再生モードを入力するための入力手段と、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段と、を備える。このようにすることで、ノーマルプレイとランダムプレイとで音量補正値を自動的に切り替えて音量補正を行うことができ、ランダムプレイ及びノーマルプレイのいずれにおいても安定した音量で音楽を再生することができる。
【００２４】
本発明の更なる他の観点では、オーディオデータについて、第１の音量補正値、及び、オーディオソース毎のグループに共通の第２の音量補正値が記録された記録媒体より前記オーディオデータを再生するオーディオ再生方法は、前記オーディオデータの再生モードを入力するための入力方法と、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正方法と、を備える。この方法によっても、ノーマルプレイとランダムプレイとで音量補正値を自動的に切り替えて音量補正を行うことができ、ランダムプレイ及びノーマルプレイのいずれにおいても安定した音量で音楽を再生することができる。
【００２５】
本発明の更なる他の観点では、オーディオデータについて、第１の音量補正値、及び、オーディオソース毎のグループに共通の第２の音量補正値が記録された記録媒体より前記オーディオデータを再生する、コンピュータにより実行されるオーディオ再生プログラムは、前記オーディオデータの再生モードを入力するための入力手段、入力された前記再生モードを基に、前記グループのオーディオデータがランダムに再生されると判定した場合には、前記第１の音量補正値を用いて出力音量の音量レベル値の補正を自動的に行い、前記グループのオーディオデータが順番に通して再生されると判定した場合には、前記第２の音量補正値を用いて出力音量の音量レベル値の補正を自動的に行う音量補正手段、として前記コンピュータを機能させる。このプログラムによっても、ノーマルプレイとランダムプレイとで音量補正値を自動的に切り替えて音量補正を行うことができ、ランダムプレイ及びノーマルプレイのいずれにおいても安定した音量で音楽を再生することができる。また、このオーディオ再生プログラムは、記憶媒体に記憶した状態で取り扱うことができる。
【実施例】
【００２６】
以下、図面を参照して本発明の好適な実施例について説明する。
【００２７】
（オーディオ再生・記録装置の構成）
図１に、本実施例に係るオーディオ再生・記録装置１００の構成を示す。図１において、オーディオ再生・記録装置１００は、オーディオ記録装置１００ａとオーディオ再生装置１００ｂより構成される。
【００２８】
オーディオ記録装置１００ａは、オーディオソース１０、オーディオソース読出部１１、音量補正値算出部１２、エンコーダ１３、データ書込部１４、補正値読出部８、記録媒体１５より構成される。ここで、音量補正値算出部１２、データ書込部１４、補正値読出部８は、制御部１６が、例えば、メモリなどに記録されているプログラムを実行することにより実現される機能である。ここで、制御部１６は、例えば、ＤＳＰ（Digital Signal Processor）である。なお、制御部１６は、操作部９を介してユーザから記録や再生の指示を信号として受け取る。
【００２９】
オーディオソース１０は、ＣＤ（Compact Disc）などの記録媒体であり、音量補正が行われていない音楽や音声のオーディオ信号が記録されている。オーディオソース読出部１１は、オーディオソース１０よりオーディオデータを読み取る。音量補正値算出部１２は、当該オーディオデータについての音量補正値を算出する。エンコーダ１３は、オーディオデータを符号化して圧縮する。補正値読出部８は、音量補正値算出部１２より音量補正値を読み込む。データ書込部１４は、符号化されたオーディオデータと、補正値読出部８によって読み出された音量補正値とをリンクして記録媒体１５に記録する。音量補正値算出部１２が、本発明における第１の音量補正値算出手段、及び、第２の音量補正値算出手段として機能し、データ書込部１４が、本発明における記録手段として機能する。
【００３０】
オーディオ再生装置１００ｂは、データ読出部１７、音量補正値設定部１８、デコーダ１９、音量補正部２０、メインボリューム２１より構成される。ここで、データ読出部１７、音量補正値設定部１８、音量補正部２０は、制御部１６が、例えば、メモリなどに記録されているプログラムを実行することにより実現される機能である。ここでいう音量補正値設定部１８が、本発明における音量補正値設定手段として機能し、音量補正部２０が、本発明における音量補正手段として機能する。
【００３１】
データ読出部１７は、記録媒体１５に記録されたオーディオデータと音量補正値とを読み出す。この段階では、読み出されたオーディオデータは符号化されている。デコーダ１９は、このオーディオデータを復号化する。音量補正値設定部１８は、音量補正値を対応するオーディオデータに設定する。メインボリューム２１は、オーディオ再生装置１００ｂの図示しないスピーカ等より出力される出力音量の音量レベル値を手動で調節するためのものである。ユーザは、メインボリューム２１を調節することにより、出力音量の音量レベル値を所望の値にすることができる。音量補正部２０は、出力音量の音量レベル値を、再生するオーディオデータに対応する音量補正値で補正する。なお、ここで、エンコーダ１３は、音量補正値についても符号化して圧縮することとしてもよい。この場合は、デコーダ１９は、当該音量補正値についても復号化する。また、以下の説明では、一例として、オーディオデータを音楽のオーディオデータであるとして説明する。
【００３２】
（オーディオデータ記録処理）
次に、オーディオデータ記録処理について述べる。図２は、オーディオデータ記録処理のフローチャートを示す。
【００３３】
音量補正値算出部１２は、オーディオソース１０よりオーディオデータを読み取り、曲毎のオーディオデータについて音量補正値を算出する（ステップＳ１０１）。また、音量補正値算出部１２は、アルバム毎のオーディオデータについても音量補正値を算出する（ステップＳ１０２）。なお、以下の説明では、曲毎のオーディオデータについての音量補正値を第１の音量補正値とし、アルバム毎のオーディオデータについての音量補正値を第２の音量補正値とする。第１の音量補正値及び第２の音量補正値の具体的な算出方法については、後に詳細に述べることとする。
【００３４】
エンコーダ１３は、オーディオデータを符号化する（ステップＳ１０３）。データ書込部１４は、符号化されたオーディオデータと、補正値読出部８によって読み出された第１及び第２の音量補正値とをリンクして記録媒体１５に記録する（ステップＳ１０４）。
【００３５】
図３は、オーディオデータと第１及び第２の音量補正値とのリンクの様子を示す模式図である。図３（ａ）に示す例では、オーディオソース１０より読み取られたオーディオデータとして、アルバムＹにおける音楽データＡ、音楽データＢ、音楽データＣの３つの曲のオーディオデータが読み取られたとする。
【００３６】
ここで、音楽データＡについての第１の音量補正値を音量補正値ａとし、音楽データＢについての第１の音量補正値を音量補正値ｂとし、音楽データＣについての第１の音量補正値を音量補正値ｃとする。また、音楽データＡ、Ｂ、Ｃをまとめたアルバムの第２の音量補正値を音量補正値ｙとする。この場合、図３(a)に示すように、１つの音楽データに対し、第１の音量補正値及び第２の音量補正値がリンクされる。例えば、音楽データＡには、音量補正値ａ及び音量補正値ｙがリンクされ、音楽データＢには、音量補正値ｂと音量補正値ｙがリンクされ、音楽データＣには、音量補正値ｃ及び音量補正値ｙがリンクされる。
【００３７】
オーディオソース１０としては、複数のオーディオデータから構成されるアルバムに限られるものではなく、代わりに、例えば、１つのオーディオデータから構成されるシングルなどでもよいのは言うまでもない。図３（ｂ）に示す例は、シングルＸにおける音楽データＧ、アルバムＺにおける１つの音楽データＥが読み取られた場合を示す。ここで、音楽データＧについての第１の音量補正値を音量補正値ｇとし、第２の音量補正値を音量補正値ｘとする。また、音楽データＥについての第１の音量補正値を音量補正値ｅとし、第２の音量補正値を音量補正値ｚとする。この場合であっても、音楽データＧには、音量補正値ｇ及び音量補正値ｘがリンクされ、音楽データＥには、音量補正値ｅ及び音量補正値ｚがリンクされる。
【００３８】
即ち、記録媒体に記録された音楽データなどのオーディオデータについて、シングルＸ、アルバムＹ、Ｚといったオーディオソースに対応するグループ毎に共通の第２の音量補正値がリンクされる。
【００３９】
さらには、図３（ｃ）に示すように、音楽データＡ、Ｂ、Ｃ夫々についての属性値として、第２の音量補正値たる音量補正値ｙの値が直接設けられるとしてもよい。
【００４０】
なお、上述した音楽データなどのオーディオデータには、図４に示すように、識別情報として、リンク付けされる第１の音量補正値や第２の音量補正値、ＴＯＣ（Table of Contents）情報、録音日などの日付情報が記録される。このＴＯＣ情報が、オーディオソースに対応するグループを識別する識別情報として機能する。
【００４１】
音量補正値算出部１２は、このＴＯＣ情報などの識別情報を用いることで、記録媒体１５にオーディオソース１０のオーディオデータが既に記録されているか否かを判定することができる。
【００４２】
具体的には、音量補正値算出部１２は、オーディオソース１０のオーディオデータが記録媒体１５に記録される場合において、オーディオソース１０の識別番号とグループの識別番号とを基に、オーディオソース１０のオーディオデータが記録媒体１５に存在しているか否かを判定し、存在していないと判定した場合には、オーディオソース１０のオーディオデータについての第１の音量補正値の値を、当該オーディオソース１０のオーディオデータについての第２の音量補正値とし、データ書込部１４は、当該オーディオソース１０のオーディオデータについて、当該第１の音量補正値及び当該第２の音量補正値をリンクして記録媒体１５に記録する。このようにすることで、オーディオソース１０のオーディオデータを始めて記録媒体１５に記録する場合において、記録されるオーディオソース１０のオーディオデータに対し、第１の音量補正値、及び、第２の音量補正値をリンクして記録することができる。従って、このときのオーディオソース１０のオーディオデータが本発明における第１のオーディオデータに対応する。
【００４３】
また、音量補正値算出部１２は、オーディオソース１０のオーディオデータが記録媒体１５に存在していると判定した場合には、記録媒体１５に記録済みのオーディオソース１０に対応するグループのオーディオデータの第２の音量補正値の値とオーディオソース１０のオーディオデータの第２音量補正値の値とを共通の値とし、データ書込部１４は、オーディオソース１０のオーディオデータについて、第１の音量補正値及び共通の値とされた第２の音量補正値をリンクして記録媒体１５に記録すると共に、記録媒体１５に記録済みのオーディオソース１０に対応するグループのオーディオデータについて、共通の値とされた第２の音量補正値をリンクして記録する。このようにすることで、オーディオソース１０のオーディオデータを２回目以降に記録媒体１５に記録する場合において、記録されるオーディオソース１０のオーディオデータに対し、第１の音量補正値、及び、第２の音量補正値をリンクして記録することができる。従って、このときのオーディオソース１０のオーディオデータが本発明における記録媒体に追加して記録される第２のオーディオデータに対応する。
【００４４】
以上説明したように、本実施例では、オーディオ記録装置は、オーディオデータについて第１の音量補正値を算出する第１の音量補正値算出手段と、当該オーディオデータについてオーディオソースに対応するグループ毎に共通の第２の音量補正値を算出する第２の音量補正値算出手段と、当該オーディオデータについて、第１の音量補正値及び第２の音量補正値をリンクして記録媒体に記録する記録手段と、を備える。このようにすることで、当該オーディオデータに対し、再生モードによって異なる音量補正値をリンクして記録することができる。
【００４５】
（オーディオデータ再生処理）
次に、オーディオデータ再生処理について述べる。図５は、オーディオデータ再生処理のフローチャートを示す。
【００４６】
音量補正値設定部１８は、ユーザによる操作を基に、再生モードがアルバムを通して再生するノーマルプレイであるか否かについて判定し（ステップＳ１１１）、ノーマルプレイであると判定した場合には（ステップＳ１１１：Ｙｅｓ）、出力音量の音量レベル値の補正値を第２の音量補正値に決定する（ステップＳ１１２）。音量補正値設定部１８は、ステップＳ１１１において、再生モードがノーマルプレイでないと判定した場合（ステップＳ１１１：Ｎｏ）、即ち、再生モードが再生する曲の順序をランダムに変えて再生するランダムプレイであると判定した場合には、出力音量の音量レベル値の補正値を第１の音量補正値に決定する（ステップＳ１１３）。
【００４７】
記録媒体１５に記録されたオーディオデータと第１及び第２の音量補正値は、データ読出部１７により読み出される（ステップＳ１１４）。そして、オーディオデータは、デコーダ１９により復号化される（ステップＳ１１５）。音量補正部２０は、出力音量の音量レベル値の補正値が第１の補正値に決定されていれば、当該オーディオデータにリンクして記録されている第１の音量補正値を曲毎に用いて再生し、出力音量の音量レベル値の補正値が第２の補正値に決定されていれば、当該オーディオデータにリンクして記録されている第２の音量補正値をアルバム毎に用いて再生する（ステップＳ１１６）。この後、本処理は終了する。
【００４８】
図３（ａ）に示す例でいうと、音量補正部２０は、再生モードがランダムプレイであると判定された場合には、音楽データＡを再生する際に、出力音量の音量レベル値を音量補正値ａで補正し、音楽データＢを再生する際に、出力音量の音量レベル値を音量補正値ｂで補正し、音楽データＣを再生する際に、出力音量の音量レベル値を音量補正値ｃで補正する。一方、音量補正部２０は、再生モードがノーマルプレイであると判定された場合には、音楽データＡ、Ｂ、Ｃの何れの音楽データを再生する際であっても、出力音量の音量レベル値を音量補正値ｙで補正する。
【００４９】
以上説明したように、本実施例では、オーディオデータについて、第１の音量補正値、及び、オーディオソースに対応したグループ毎に共通の第２の音量補正値が記録された記録媒体より当該オーディオデータを再生するオーディオ再生装置であって、当該オーディオデータの再生モードを入力するための入力手段と、入力された再生モードを基に、当該グループのオーディオデータがランダムに再生されると判定した場合には、第１の音量補正値を用いて出力音量の音量レベル値の補正を自動的に行い、当該グループのオーディオデータが順番に通して再生されると判定した場合には、第２の音量補正値を用いて出力音量の音量レベル値の補正を自動的に行う音量補正手段と、を備える。このようにすることで、本実施例に係るオーディオ再生装置は、ノーマルプレイとランダムプレイとで音量補正値を自動的に切り替えて音量補正を行うことができ、ランダムプレイ及びノーマルプレイのいずれにおいても安定した音量で音楽を再生することができる。
【００５０】
（音量補正値算出方法）
次に、音量補正値の算出方法について具体的に述べる。曲毎のオーディオデータについての音量補正値（第１の音量補正値）の算出方法としては、（１ａ）曲全体の平均音量の音量レベル値を求め、当該平均音量の音量レベル値と出力音量の音量レベル値との差を第１の音量補正値とする方法、（２ａ）短時間毎の音量の音量レベル値を求め、その中で最もピークとなる音量レベル値と出力音量の音量レベル値との差を第１の音量補正値とする方法が挙げられる。
【００５１】
ここで、曲毎のオーディオデータの音量レベル値を測定する方法としては、公知の技術を適用できる。例えば、制御部１６により、オーディオデータの一定時間毎の信号レベルのピーク値を８ビットの２５６のレベルの数値に変換し、それら一定時間毎のピーク値を平均化した平均値を、オーディオデータの音量レベル値とすることができる。また、上記の（２ａ）の方法を用いた場合には、曲毎に、最もピークとなる音量の音量レベル値を出力音量の音量レベル値に合わせることができる。
【００５２】
例えば、音楽ＣＤなどの１つのオーディオソースに対応するアルバム毎のオーディオデータ(曲)についての音量補正値（第２の音量補正値）の算出方法としては、（１ｂ）アルバム全体の平均音量レベル値を求め、当該平均音量レベル値と出力音量の音量レベル値との差を第２の音量補正値とする方法、（２ｂ）アルバム全体の各曲毎の平均音量レベル値の平均を求め、当該平均と出力音量の音量レベル値との差を第２の音量補正値とする方法、（３ｂ）アルバムの各曲毎の第１の音量補正値の平均を第２の音量補正値とする方法、（４ｂ）アルバムの各曲毎の第１の音量補正値の最小値を第２の音量補正値とする、即ち、音量レベル値が一番大きな曲のオーディオデータの第１の音量補正値を第２の音量補正値とする方法が挙げられる。
【００５３】
(オーディオデータ記録処理の具体例)
次に、第１及び第２のオーディオデータの記録処理の具体例について、図６に示すフローチャートを用いて述べる。図６に示すフローチャートに示す第１及び第２の音量補正値の算出処理の方法では、第１の音量補正値の算出方法として、上述の（１ａ）又は（２ａ）の方法を用いて第１の音量補正値を求め、第２の音量補正値の算出方法として、上述の（４ｂ）の方法を用いて第２の音量補正値を求めることとする。
【００５４】
具体的には、音量補正値算出部１２は、音楽ＣＤに対応付けて記録されているＴＯＣ情報に基づいて、記録媒体１５に記録済みのアルバムであるかの判断を行うことができる。即ち、音量補正値算出部１２は、音楽ＣＤのＴＯＣ情報と記録済みのアルバムのＴＯＣ情報とを基に、当該音楽ＣＤのオーディオデータが記録媒体１５に存在しているか否かを判定し、存在していないと判定した場合には、当該音楽ＣＤのオーディオデータについての第１の音量補正値の値を、当該音楽ＣＤに対応するアルバムにおけるオーディオデータの第２の音量補正値とし、データ書込部１４は、当該第１の音量補正値及び当該第２の音量補正値をリンクして記録媒体１５に記録する。
【００５５】
音量補正値算出部１２は、当該音楽ＣＤのオーディオデータが記録媒体１５に存在していると判定した場合には、当該記録媒体１５に記録済みの当該音楽ＣＤに対応するアルバムのオーディオデータの第２の音量補正値の値と当該音楽ＣＤの第２の音量補正値の値とを共通の値とし、データ書込部１４は、当該音楽ＣＤのオーディオデータについて、当該第１の音量補正値及び共通の値とされた当該第２の音量補正値をリンクして記録媒体１５に記録すると共に、当該記録媒体１５に記録済みの音楽ＣＤに対応するアルバムのオーディオデータについて、共通の値とされた当該第２の音量補正値をリンクして記録媒体１５に記録する。以下、図６に示すフローチャートを用いて述べる。
【００５６】
例えば、オーディオソース１０が音楽ＣＤの場合、音量補正値算出部１２は、同じ音楽ＣＤが既に録音済みか否かを判定し（ステップＳ１２１）、録音済みでないと判定した場合には（ステップＳ１２１：Ｎｏ）、ステップＳ１２３へ進む。
【００５７】
音量補正値算出部１２は、同じ音楽ＣＤが既に録音済みであると判定した場合には（ステップＳ１２１：Ｙｅｓ）、全曲録音済みか否かを判定する（ステップＳ１２２）。音量補正値算出部１２は、ステップＳ１２２において、全曲録音済みであると判定した場合には（ステップＳ１２２：Ｙｅｓ）、処理を終了し、全曲録音済みでないと判定した場合には（ステップＳ１２２：Ｎｏ）、ステップＳ１２３へ進む。
【００５８】
ステップＳ１２３において、音量補正値算出部１２は、曲番号Ｎに１を設定する。次に、音量補正値算出部１２は、Ｎ曲目が録音済みか否かを判定し（ステップＳ１２４）、録音済みであると判定した場合には（ステップＳ１２４：Ｙｅｓ）、ステップＳ１３０へ進む。具体的には、音量補正値算出部１２は、記録されているオーディオデータに対応付けて記録されているＴＯＣ情報に基づいて、記録された曲のトラックＮｏ．と記録済みのＣＤの曲のトラックＮｏ．とを比較することで、Ｎ曲目が録音済みか否かを判定することができる。このＮ曲目のオーディオデータが本発明における第２のオーディオデータである。
【００５９】
音量補正値算出部１２は、ステップＳ１２４において、Ｎ曲目が録音済みでないと判定した場合には（ステップＳ１２４：Ｎｏ）、Ｎ曲目の第１の音量補正値を算出し（ステップＳ１２５）、ステップＳ１２６へ進む。ステップＳ１２６において、音量補正値算出部１２は、Ｎ曲目が１よりも大きいか否かを判定し、大きくないと判定した場合には（ステップＳ１２６：Ｎｏ）、ステップＳ１２８へ進み、大きいと判定した場合には（ステップＳ１２６：Ｙｅｓ）、ステップＳ１２７へ進む。
【００６０】
ステップＳ１２７において、音量補正値算出部１２は、Ｎ曲目の第１の音量補正値がアルバム毎の第２の音量補正値よりも小さいか否かを判定し（ステップＳ１２７）、小さくないと判定した場合には（ステップＳ１２７：Ｎｏ）、ステップＳ１２９へ進む。音量補正値算出部１２は、ステップＳ１２７において、Ｎ曲目の第１の音量補正値がアルバム毎の第２の音量補正値よりも小さいと判定した場合には（ステップＳ１２７：Ｙｅｓ）、Ｎ曲目の第１の音量補正値をアルバム毎の第２の音量補正値に設定する（ステップＳ１２８）。
【００６１】
データ書込部１４は、オーディオデータと第１、第２の音量補正値をリンクして記録媒体１５に記録すると共に、記録済みの当該アルバムのオーディオデータについても、共通の第２の音量補正値として、当該第２の音量補正値をリンクして記録媒体１５に記録する（ステップＳ１２９）。ステップＳ１３０において、音量補正値算出部１２は、全曲について録音が終了したか否かを判定し、終了していないと判定した場合には（ステップＳ１３０：Ｎｏ）、曲番号Ｎを１進めた後（ステップＳ１３１）、ステップＳ１２４へ戻る。音量補正値算出部１２は、ステップＳ１３０において、全曲について録音が終了したと判定した場合には（ステップＳ１３０：Ｙｅｓ）、処理を終了する。
【００６２】
以上述べたように、音量補正値算出部１２は、第２のオーディオデータの第１の音量補正値が、記録媒体１５に記録済みのオーディオソース１０に対応するグループに含まれる複数のオーディオデータに共通の第２の音量補正値よりも小さい場合には、第２のオーディオデータのうち最小の第１の音量補正値を、第２のオーディオデータ、及び、記録媒体１５に記録済みのオーディオソース１０に対応するグループのオーディオデータ、についての第２の音量補正値とする。このようにすることで、オーディオ記録装置１００ａは、第１の音量補正値及び第２の音量補正値を求めることができると共に、上述の（４ｂ）の方法を用いることで第２の音量補正値の大きさを最小にすることができる。
【００６３】
なお、本実施例では、音量補正部２０は、ノーマルプレイであると判定した場合には、出力音量の音量レベル値を、再生するオーディオデータに対応する第２の音量補正値で補正するとしているが、代わりに、ノーマルプレイであると判定した場合には、出力音量の音量レベル値を補正しないとしてもよい。
【００６４】
また、本実施例では、オーディオデータとして曲のオーディオデータを例として用いているが、これに限られるものではなく、代わりに、他の種類のオーディオデータを用いるとすることもできるのは言うまでもない。例えば、オーディオデータとして音声などのオーディオデータを用いるとしても良い。また、本実施例では、オーディオデータは、符号化により圧縮されて扱われるとしているが、これに限られるものではなく、代わりに、非圧縮データのまま扱われるとしてもよい。
【図面の簡単な説明】
【００６５】
【図１】実施例によるオーディオ再生・記録装置の概略構成を示すブロック図である。
【図２】実施例によるオーディオデータ記録処理のフローチャートである。
【図３】オーディオデータと第１及び第２の音量補正値とのリンクを示す模式図。
【図４】識別情報を示す模式図である。
【図５】実施例によるオーディオデータ再生処理のフローチャートである。
【図６】第１及び第２の音量補正値の算出処理の例を示すフローチャートである。
【符号の説明】
【００６６】
８・・・補正値読出部
９・・・操作部
１０・・・オーディオソース
１１・・・オーディオソース読出部
１２・・・音量補正値算出部
１３・・・エンコーダ
１４・・・データ書込部
１５・・・記録媒体
１６・・・制御部
１７・・・データ読出部
１８・・・音量補正値設定部
１９・・・デコーダ
２０・・・音量補正部
２１・・・メインボリューム
１００・・・オーディオ再生・記録装置
１００ａ・・・オーディオ記録装置
１００ｂ・・・オーディオ再生装置
【図１】
2008112494.tif 000003
【図２】
2008112494.tif 000004
【図３】
2008112494.tif 000005
【図４】
2008112494.tif 000006
【図５】
2008112494.tif 000007
【図６】
2008112494.tif 000008